(57)【特許請求の範囲】
【請求項１】
受信したデジタル電気信号をフィルタリングするフィルタ処理部と、
フィルタリング後のデジタル電気信号をアナログ電気信号に変換するデジタル／アナログ変換器と、
前記アナログ電気信号を光信号に変換して光伝送路に出力するＥ／Ｏ変換器と
を備えた光送信器であって、
前記フィルタ処理部は、光伝送路の特性に応じた複数のフィルタ係数テーブルを有し、光伝送路が切り替えられる際に切り替え後の光伝送路を特定する切り替え指示信号を受信し、ハードウェア内の動作クロック単位でフィルタ係数が切り替えられることにより、前記切り替え指示信号により特定される光伝送路の特性に応じたフィルタ係数テーブルを用いたフィルタリング後のデジタル電気信号を前記デジタル／アナログ変換器に対して出力することを特徴とする光送信器。
【請求項２】
請求項１に記載の光送信器において、
前記フィルタ処理部は、セレクタとデジタルフィルタとをさらに有し、
前記セレクタは、前記デジタルフィルタを含むＬＳＩ内に実装され、前記切り替え指示信号を受信し、前記ＬＳＩ内におけるデジタル回路の動作速度の１クロックの時間で、前記複数のフィルタ係数テーブルの中から前記切り替え指示信号により特定される光伝送路の特性に応じたフィルタ係数テーブルを選択し、
前記デジタルフィルタは、前記セレクタで選択された前記フィルタ係数テーブルを用いて、受信した前記デジタル電気信号をフィルタリングする
ことを特徴とする光送信器。
【請求項３】
請求項１に記載の光送信器において、
前記フィルタ処理部は、
前記複数のフィルタ係数テーブルのそれぞれを用いて、受信した分配された前記デジタル電気信号をフィルタリングする複数のデジタルフィルタと
前記複数のデジタルフィルタを含むＬＳＩ内に実装され、前記切り替え指示信号を受信し、前記ＬＳＩ内におけるデジタル回路の動作速度の１クロックの時間で、前記複数のデジタルフィルタでフィルタリングされたそれぞれのデジタル電気信号の中から、前記切り替え指示信号により特定される光伝送路の特性に応じたフィルタ係数テーブルによりフィルタリングされたデジタル電気信号を選択するセレクタと
をさらに有することを特徴とする光送信器。
【請求項４】
請求項２または３に記載の光送信器において、
前記デジタルフィルタは、ルックアップテーブルを用いたデジタルフィルタ、ＦＩＲフィルタ、またはＩＩＲフィルタのいずれかで構成されることを特徴とする光送信器。
【請求項５】
光伝送路から受信した光信号をアナログ電気信号に変換するＯ／Ｅ変換器と、
変換後の前記アナログ電気信号をデジタル電気信号に変換するアナログ／デジタル変換器と、
変換後の前記デジタル電気信号をフィルタリングして出力するフィルタ処理部と
を備えた光受信器であって、
前記フィルタ処理部は、光伝送路の特性に応じた複数のフィルタ係数テーブルを有し、光伝送路が切り替えられる際に切り替え後の光伝送路を特定する切り替え指示信号を受信し、ハードウェア内の動作クロック単位でフィルタ係数が切り替えられることにより、前記切り替え指示信号により特定される光伝送路の特性に応じたフィルタ係数テーブルを用いたフィルタリング後のデジタル電気信号を出力することを特徴とする光受信器。
【請求項６】
請求項５に記載の光受信器において、
前記フィルタ処理部は、セレクタとデジタルフィルタとをさらに有し、
前記セレクタは、前記デジタルフィルタを含むＬＳＩ内に実装され、前記切り替え指示信号を受信し、前記ＬＳＩ内におけるデジタル回路の動作速度の１クロックの時間で、前記複数のフィルタ係数テーブルの中から前記切り替え指示信号により特定される光伝送路の特性に応じたフィルタ係数テーブルを選択し、
前記デジタルフィルタは、前記セレクタで選択された前記フィルタ係数テーブルを用いて、アナログ／デジタル変換後の前記デジタル電気信号をフィルタリングする
ことを特徴とする光受信器。
【請求項７】
請求項５に記載の光受信器において、
前記フィルタ処理部は、
前記複数のフィルタ係数テーブルのそれぞれを用いて、アナログ／デジタル変換後に分配された前記デジタル電気信号をフィルタリングする複数のデジタルフィルタと
前記複数のデジタルフィルタを含むＬＳＩ内に実装され、前記切り替え指示信号を受信し、前記ＬＳＩ内におけるデジタル回路の動作速度の１クロックの時間で、前記複数のデジタルフィルタでフィルタリングされたそれぞれのデジタル電気信号の中から、前記切り替え指示信号により特定される光伝送路の特性に応じたフィルタ係数テーブルによりフィルタリングされたデジタル電気信号を選択するセレクタと
をさらに有することを特徴とする光受信器。
【請求項８】
請求項６または７に記載の光受信器において、
前記デジタルフィルタは、ルックアップテーブルを用いたデジタルフィルタ、ＦＩＲフィルタ、またはＩＩＲフィルタのいずれかで構成されることを特徴とする光受信器。
【請求項９】
受信したデジタル電気信号をフィルタリングするフィルタ処理部と、
フィルタリング後のデジタル電気信号をアナログ電気信号に変換するデジタル／アナログ変換器と、
前記アナログ電気信号を光信号に変換して光伝送路に出力するＥ／Ｏ変換器と
を備えた光送信器であって、
前記フィルタ処理部は、光伝送路の特性に応じた複数のフィルタ係数テーブルを有し、光受信側での受信光信号の性能監視に基づいて光信号内の監視制御通信用チャネルを利用して切り替え指示信号を受信し、ハードウェア内の動作クロック単位でフィルタ係数が切り替えられることにより、前記切り替え指示信号により特定される光伝送路の特性に応じたフィルタ係数テーブルを用いたフィルタリング後のデジタル電気信号を前記デジタル／アナログ変換器に対して出力することを特徴とする光送信器。
【発明の詳細な説明】
【技術分野】
【０００１】
本発明は、光ファイバ伝送路の受信側または送信側に設けられ、光ファイバ伝送路中の信号劣化を補償することのできる光送信器および光受信器に関する。
【背景技術】
【０００２】
従来、光通信分野では、分散など光ファイバ伝送路中の信号劣化要因を、分散補償ファイバ（Ｄｉｓｐｅｒｓｉｏｎ  Ｃｏｍｐｅｎｓａｔｉｏｎ  Ｆｉｂｅｒ：ＤＣＦ）やファイバブラッググレーティング（Ｆｉｂｅｒ  Ｂｒａｇｇ  Ｇｒａｔｉｎｇ：ＦＢＧ）など、光学的な技術を用いて補償してきた。
【０００３】
これに対し、近年、デジタル／アナログコンバータ（ＤＡＣ）およびアナログ／デジタルコンバータ（ＡＤＣ）の高速化、光変復調器の高度化など、デバイスのめざましい進歩を受けて、Ｏ／Ｅ変換により光から電気に変換した後の、またはＥ／Ｏ変換により電気から光に変換する前の電気領域における等化技術により、信号劣化の補償を行う技術の研究開発が精力的に行われている。
【０００４】
これらの電気的補償技術は、光伝送システムの受信側、送信側のいずれにおいても適用する方式がある。受信側の電気的補償技術としては、光ファイバ伝送路において劣化した受信信号を、ＤＡＣによりデジタルデータに変換した後、デジタルフィルタ回路にて等化することなどにより、元の信号系列を復元する。例えば、Ｄｅｃｉｓｉｏｎ  Ｆｅｅｄ−ｂａｃｋ  Ｅｑｕａｌｉｚｅｒ（ＤＦＥ）や、最尤系列推定（Ｍａｘｉｍｕｍ  Ｌｉｋｅｌｉｈｏｏｄ  Ｓｅｑｕｅｎｃｅ  Ｅｓｔｉｍａｔｉｏｎ：ＭＬＳＥ）などの技術が挙げられる。
【０００５】
一方、送信側における補償技術としては、プリディストーション（Ｐｒｅｄｉｓｏｔｏｒｔｉｏｎ）と呼ばれるものがある。この手法では、送信するデータ系列に対して、デジタルフィルタにて、あらかじめ光ファイバ伝送路で受ける分散などの信号劣化要因の逆特性をかける。さらに、ＤＡＣによりあらかじめ歪んだ任意波形を生成して（予等化して）、光ファイバ伝送路に出力する。そして、光ファイバ伝送路を伝搬した後、送信波形の歪みと分散が打ち消しあうことで、受信側に整形された光信号波形を得ることができる。この結果、通信品質を向上させることができる。
【０００６】
図８は、従来の光通信システムにおける電気的領域補償用デジタルフィルタの構成図である。この従来方式は、伝送路で生じる非線形歪みの逆特性を求め、補償演算子１１０として保持する。これをＦＩＲフィルタまたはルックアップテーブルで構成されるデジタルフィルタ１０１ａ、１０１ｂに入力し、入力信号のデジタルフィルタ処理を行う。さらに、デジタルフィルタ処理後の入力信号を、ＤＡＣ１０２ａ、１０２ｂでアナログ信号に変換して、Ｏ／Ｅ変換器１２０にて光信号として送信する（例えば、特許文献１参照）。
【０００７】
先の図８に示すような構成を用いて光送信器を構成することにより、光ファイバ伝送路中で受ける様々な信号劣化要因を補償することが可能となり、通信可能な距離を大きく伸ばすことが可能となる。また、デジタルフィルタで使用する補償演算子は、距離やファイバ種別毎に異なるため、伝送路毎にその補償演算子を格納するテーブル内容を入れ替えて対応する。
【０００８】
【特許文献１】特表２００６−５２２５０８号公報
【発明の開示】
【発明が解決しようとする課題】
【０００９】
しかしながら、従来技術には次のような課題がある。
光通信においては、通信回線の高信頼化のため、光ファイバ伝送路断時に、冗長化された予備系経路に高速に切り替えて通信回線を保護するプロテクションという手法が採られることが多い。このため、先の図８に示す方法のように、デジタルフィルタへの補償演算子を保持するテーブルを１つしか持たない構成では、伝送路断時にフィルタ係数をテーブルに再格納する必要がある。
【００１０】
光通信は、スループットが１０Ｇｂｐｓ／４０Ｇｂｐｓと大きく、テーブル規模も大きくなる。さらに、テーブルを構成するメモリへのアクセスは、低速であり、格納に要する時間は、長くなる。このため、通信回線断時間も合わせて長くなるという問題があった。
【００１１】
さらに、運用中に、光ファイバ伝送路にあったフィルタ係数に最適化するよう微調整する場合、テーブルの入れ替えに時間がかかると、入れ替え終了までの間でフィルタ係数が不連続となり、意図しない瞬断時間が生じるという問題もある。
【００１２】
本発明は上述のような課題を解決するためになされたもので、光ファイバ伝送路断時に、冗長化された予備系経路に切り替えて通信回線を保護する際に、高速に切り替えることにより信号断時間を短縮することのできる光送信器および光受信器を得ることを目的とする。
【課題を解決するための手段】
【００１３】
本発明に係る光送信器は、受信したデジタル電気信号をフィルタリングするフィルタ処理部と、フィルタリング後のデジタル電気信号をアナログ電気信号に変換するデジタル／アナログ変換器と、アナログ電気信号を光信号に変換して光伝送路に出力するＥ／Ｏ変換器とを備えた光送信器であって、フィルタ処理部は、光伝送路の特性に応じた複数のフィルタ係数テーブルを有し、光伝送路が切り替えられる際に切り替え後の光伝送路を特定する切り替え指示信号を受信し、ハードウェア内の動作クロック単位でフィルタ係数が切り替えられることにより、切り替え指示信号により特定される光伝送路の特性に応じたフィルタ係数テーブルを用いたフィルタリング後のデジタル電気信号をデジタル／アナログ変換器に対して出力するものである。
【００１４】
また、本発明に係る光受信器は、光伝送路から受信した光信号をアナログ電気信号に変換するＯ／Ｅ変換器と、変換後のアナログ電気信号をデジタル電気信号に変換するアナログ／デジタル変換器と、変換後のデジタル電気信号をフィルタリングして出力するフィルタ処理部とを備えた光受信器であって、フィルタ処理部は、光伝送路の特性に応じた複数のフィルタ係数テーブルを有し、光伝送路が切り替えられる際に切り替え後の光伝送路を特定する切り替え指示信号を受信し、ハードウェア内の動作クロック単位でフィルタ係数が切り替えられることにより、切り替え指示信号により特定される光伝送路の特性に応じたフィルタ係数テーブルを用いたフィルタリング後のデジタル電気信号を出力するものである。
【発明の効果】
【００１５】
本発明によれば、デジタルフィルタまたはフィルタ係数を格納するメモリ箇所を二重化することにより、光ファイバ伝送路断時に、冗長化された予備系経路に切り替えて通信回線を保護する際に、高速に切り替えることにより信号断時間を短縮することのできる光送信器および光受信器を得ることができる。
【発明を実施するための最良の形態】
【００１６】
以下、本発明の光送信器および光受信器の好適な実施の形態につき図面を用いて説明する。
【００１７】
実施の形態１．
図１は、本発明の実施の形態１におけるフィルタ切り替え光送信器の構成図である。この図１に示す光送信器１０は、デジタルフィルタ１１、２つのフィルタ係数テーブル１２ａ、１２ｂ、セレクタ１３、ＤＡＣ１４、およびＥ／Ｏ変換器１５を備えている。ここで、デジタルフィルタ１１、２つのフィルタ係数テーブル１２ａ、１２ｂ、およびセレクタ１３は、フィルタ処理部に相当する。
【００１８】
デジタルフィルタ１１は、光送信器１０が受信したデジタル電気信号にフィルタ演算処理を施す。演算処理を行うフィルタのフィルタ係数は、光伝送路の特性に応じて、複数のフィルタ係数テーブルに格納されている。図１では、複数のフィルタ係数テーブルとして、第１のフィルタ係数テーブル１２ａと第２のフィルタ係数テーブル１２ｂを例示している。
【００１９】
光送信器１０は、例えば、光信号を出力する光ファイバ伝送路に伝送路障害が発生した場合には、切り替え後の光ファイバ伝送路を特定する切り替え指示信号を外部から受信する。そして、セレクタ１３は、この外部からの切り替え指示信号に従い、第１のフィルタ係数テーブル１２ａと第２のフィルタ係数テーブル１２ｂのいずれかを選択する。
【００２０】
２種類のフィルタ係数テーブル１２ａ、１２ｂは、用いられる光ファイバ伝送路の伝送特性に応じて、光伝送路中の分散など光信号劣化要因より受ける波形歪みを打ち消し、補償する逆特性を持つデジタルフィルタ係数を格納している。デジタルフィルタ１１の出力は、ＤＡＣ１４で電気アナログデータに変換され、Ｅ／Ｏ変換器１５にて光信号として出力される。
【００２１】
次に、このフィルタ切り替え光送信器１０を適用した光リングネットワークの構成について説明する。図２は、本発明の実施の形態１における光リングネットワークの構成図であり、現用系経路が正常な場合を示している。ノードＡ（２１ａ）およびノードＢ（２１ｂ）は、リング接続した光ファイバ伝送路を挟んで双方向の通信を行う。ノードＡ（２１ａ）は、先の図１に示すフィルタ切り替え光送信器２２ａ、１：２光スイッチ２３ａ、２：１光スイッチ２４ａ、および光受信器２５ａから構成される。
【００２２】
また、ノードＢ（２１ｂ）は、先の図１に示すフィルタ切り替え光送信器２２ｂ、１：２光スイッチ２３ｂ、２：１光スイッチ２４ｂ、および光受信器２５ｂから構成される。光リングネットワークは、ノードＡ（２１ａ）とノードＢ（２１ｂ）を結ぶ光ファイバ伝送路として、現用系経路２６と予備系経路２７の２つの経路を持つ。
【００２３】
光送信器２２ａは、先の図１に示すフィルタ切り替え光送信器１０に相当し、第１のフィルタ係数テーブル１２ａには、現用系経路２６の光伝送路の劣化要因を補償するフィルタ係数を格納している。また、第２のフィルタ係数テーブル１２ｂには、予備系経路２７の光伝送路の劣化要因を補償するフィルタ係数を格納している。
【００２４】
同じく、光送信器２２ｂも、先の図１に示すフィルタ切り替え光送信器１０に相当し、第１のフィルタ係数テーブル１２ａには現用系経路２６の光伝送路の劣化要因を補償するフィルタ係数を格納している。また、第２のフィルタ係数テーブル１２ｂには、予備系経路２７の光伝送路の劣化要因を補償するフィルタ係数を格納している。
【００２５】
現用系経路２６が正常である場合、光スイッチ２３ａ、２３ｂ、２４ａおよび２４ｂは、現用系経路２６側の光ファイバ伝送路を選択する。これにより、光送信器２２ａは、現用系経路２６を通じて光受信器２５ｂに対して光信号を送信する。同様に、光送信器２２ｂも、現用系経路２６を通じて光受信器２５ａに対して光信号を送信する。
【００２６】
次に、現用系経路２６に伝送路障害が発生した場合の動作について説明する。図３は、本発明の実施の形態１における伝送路障害が発生した場合の光リングネットワークの構成図であり、現用系経路に伝送路障害が発生した場合を示している。
【００２７】
現用系経路２６に伝送路障害が発生すると、光受信器２５ａおよび２５ｂは、信号断（Ｌｏｓｓ  ｏｆ  Ｓｉｇｎａｌ：ＬＯＳ）を検出する。ＬＯＳを検出した後、ノードＡ（２１ａ）およびノードＢ（２１ｂ）は、通信回線を保護するため、プロテクション動作を開始する。すなわち、光スイッチ２３ａ、２３ｂ、２４ａおよび２４ｂは、予備系経路２７を選択する。
【００２８】
このような切り替え選択を行う際に、光送信器２２ａ内部では、デジタルフィルタ１１のフィルタ係数をフィルタ係数テーブル１２ａからフィルタ係数テーブル１２ｂに切り替えるために、切り替え指示信号により、セレクタ１３が動かされる。セレクタ１３は、デジタルフィルタを含むＬＳＩ内に実装できる。従って、ＬＳＩ内におけるデジタル回路の動作速度の１クロック程度の時間で、フィルタ係数テーブルを切り替えることが可能である。
【００２９】
この結果、光信号を伝送する光ファイバ通信路を現用系経路２６から予備系経路２７に切り替えるのと同時に、あらかじめ用意してあった予備系経路２７にあわせたフィルタ演算処理が入力信号に掛けられる。ハードウェア内で高速に切り替え実施することができるため、通信回線の導通までの時間も短くすることができる。
【００３０】
以上のように、実施の形態１によれば、光送信器が複数の光伝送路の特性に対応した複数のフィルタ係数テーブルを持つ構成を備えている。これにより、伝送路障害などで伝送路が切り替わる際に、あらかじめ切り替わる先の伝送路に合わせたフィルタ係数を格納したテーブルと切り替えることができる。この結果、光信号を高速に切り替えることが可能であり、通信路の断時間を短縮できるという効果がある。
【００３１】
また、加入者毎に光通信路が異なるＰＯＮ（Ｐａｓｓｉｖｅ  Ｏｐｔｉｃａｌ  Ｎｅｔｗｏｒｋ）などにおいて、加入者別に補償量を変えたフィルタ係数テーブルを高速で切り替えることにより、電気補償技術を導入することが可能となる。この結果、伝送距離を延ばすことができるという効果もある。
【００３２】
実施の形態２．
図４は、本発明の実施の形態２におけるフィルタ切り替え光送信器を適用した光リンクの構成図である。この図４において、ノードＡ（３１ａ）およびノードＢ（３１ｂ）は、双方向の通信を行う。光送信器３２ａ、３２ｂは、先の図１に示すフィルタ切り替え光送信器１０に相当する。光送信器３２ａから送信される光信号は、光ファイバ伝送路３４を通じて、光受信器３３ｂに伝送される。また、光送信器３２ｂから送信される光信号は、光ファイバ伝送路３５を通じて、光受信器３３ａに伝送される。
【００３３】
一般的に、光ファイバ伝送路における信号劣化要因である分散は、季節変動などで値が変化する。このため、フィルタ切り替え光送信器３２ａにおいて、光ファイバ伝送路３４にあわせたフィルタ係数を設定していても、長時間経過後に分散が変動し、フィルタ係数との不整合が生じ、通信品質が劣化する。
【００３４】
これに対し、この図４に示すフィルタ切り替え光送信器３２ａは、第１のフィルタ係数テーブル１２ａに通信開始時点での光ファイバ伝送路３４に対するフィルタ係数を格納する。光受信器３３ｂにて受信光信号の性能監視を行い、時間の経過と共に分散が変動して信号品質が劣化した場合、それを光送信器３２ｂから光受信器３３ａへの光信号内の監視制御通信用チャネルを利用して、ノードＢ（３１ｂ）からノードＡ（３１ａ）に通知する。
【００３５】
通知を受信したノードＡ（３１ａ）は、第１のフィルタ係数テーブル１２ａに対してわずかに値を変更したフィルタ係数を第２のフィルタ係数テーブル１２ｂに格納し、切り替え指示信号にて高速に切り替えることにより、フィルタ係数を切り替える。
【００３６】
フィルタ係数の変更に時間がかかる場合には、切り替え前のフィルタ係数と切り替え後フィルタ係数がデジタルフィルタ内に混在する瞬間が生じるため、出力データが不連続となる。これに対し、本実施の形態２のフィルタ切り替え光送信器においては、ハードウェア内の動作クロック単位でフィルタ係数が高速に切り替えられる。この結果、連続してデジタルフィルタ処理を行ったデータを出力することができる。
【００３７】
光受信器３３ｂでは、光送信器３２ａからの受信光信号の性能監視を続け、最適なフィルタ係数になり、通信品質が回復するまで上記手順を繰り返し実施する。
【００３８】
以上のように、実施の形態２によれば、光送信器が複数の光伝送路の特性に対応した複数のフィルタ係数テーブルを持ち、わずかに係数を変えたテーブルを用意して高速に切り替えることができる構成を備えている。これにより、信号断を起こさずに、運用中にフィルタ係数の微調整が可能になるという効果がある。
【００３９】
実施の形態３．
先の実施の形態１、２では、フィルタ係数テーブルを複数持ち、１つのデジタルフィルタの係数を切り替える場合について説明した。これに対して、本実施の形態３では、複数のフィルタ係数テーブルのそれぞれに対して複数のデジタルフィルタを個別に備える場合について説明する。
【００４０】
図５は、本発明の実施の形態３におけるフィルタ切り替え光送信器の構成図である。この図５に示す光送信器１０ａは、２つのデジタルフィルタ１１ａ、１１ｂ、２つのフィルタ係数テーブル１２ａ、１２ｂ、セレクタ１３、ＤＡＣ１４、およびＥ／Ｏ変換器１５を備えている。ここで、２つのデジタルフィルタ１１ａ、１１ｂ、２つのフィルタ係数テーブル１２ａ、１２ｂ、およびセレクタ１３は、フィルタ処理部に相当する。
【００４１】
この図５に示すように、複数のフィルタ係数テーブル１２ａ、１２ｂのそれぞれに対して複数のデジタルフィルタ１１ａ、１１ｂを個別に備えた構成とすることによっても、先の実施の形態１と同様の効果を得ることができる。
【００４２】
実施の形態４．
先の実施の形態１〜３におけるフィルタ切り替え方式では、光通信システムの送信側（光送信器）に搭載するものについて説明した。このような方式は、光通信システムの受信側（光受信器）にも適用することができる。図６、図７は、本発明の実施の形態４におけるフィルタ切り替え光送信器の構成図である。
【００４３】
この図６に示す光受信器４０は、Ｏ／Ｅ変換器４１、ＡＤＣ４２、デジタルフィルタ４３、２つのフィルタ係数テーブル４４ａ、４４ｂ、およびセレクタ４５を備えている。ここで、デジタルフィルタ４３、２つのフィルタ係数テーブル４４ａ、４４ｂ、およびセレクタ４５は、フィルタ処理部に相当する。図６の光受信器４０は、フィルタ係数テーブル４４ａ、４４ｂを複数持ち、１つのデジタルフィルタ４３の係数を切り替える場合の構成を示している。
【００４４】
これに対して、図７の光受信器４０ａは、フィルタ係数テーブル４４ａ、４４ｂのそれぞれに対して複数のデジタルフィルタ４３ａ、４３ｂを個別に備える場合の構成を示している。このように、フィルタ切り替え方式を受信側に配置することで、先に説明したように、フィルタ切り替え方式を送信側に配置した場合と同様の効果が得られる。
【００４５】
なお、上述した実施の形態１〜４に示したフィルタ係数切り替え方式は、ＦＩＲフィルタ、ルックアップテーブル並びにＩＩＲフィルタなど、各種デジタルフィルタ方式に対して広く適用可能である。
【図面の簡単な説明】
【００４６】
【図１】本発明の実施の形態１におけるフィルタ切り替え光送信器の構成図である。
【図２】本発明の実施の形態１における光リングネットワークの構成図である。
【図３】本発明の実施の形態１における伝送路障害が発生した場合の光リングネットワークの構成図である。
【図４】本発明の実施の形態２におけるフィルタ切り替え光送信器を適用した光リンクの構成図である。
【図５】本発明の実施の形態３におけるフィルタ切り替え光送信器の構成図である。
【図６】本発明の実施の形態４におけるフィルタ切り替え光送信器の構成図である。
【図７】本発明の実施の形態４におけるフィルタ切り替え光送信器の構成図である。
【図８】従来の光通信システムにおける電気的領域補償用デジタルフィルタの構成図である。
【符号の説明】
【００４７】
１０、１０ａ  光送信器、１１、１１ａ、１１ｂ  デジタルフィルタ、１２ａ、１２ｂ  フィルタ係数テーブル、１３  セレクタ、１４  ＤＡＣ（デジタル／アナログ変換器）、１５  Ｅ／Ｏ変換器、２２ａ、２２ｂ  光送信器、２３ａ、２３ｂ、２４ａ、２４ｂ  光スイッチ、２５ａ、２５ｂ  光受信器、２６  現用系経路、２７  予備系経路、３１ａ  ノードＡ、３１ｂ  ノードＢ、３２ａ、３２ｂ  光送信器、３３ａ、３３ｂ  光受信器、３４、３５  光ファイバ伝送路、４０、４０ａ  光受信器、４１  Ｏ／Ｅ変換器、４２  ＡＤＣ（アナログ／デジタル変換器）、４３、４３ａ、４３ｂ  デジタルフィルタ、４４ａ、４４ｂ  フィルタ係数テーブル、４５  セレクタ。
【図１】
0005106233.tif 000002
【図２】
0005106233.tif 000003
【図３】
0005106233.tif 000004
【図４】
0005106233.tif 000005
【図５】
0005106233.tif 000006
【図６】
0005106233.tif 000007
【図７】
0005106233.tif 000008
【図８】
0005106233.tif 000009